(57)【要約】 【課題】  本発明は、コルゲートチューブをワンタッチで装着可能なコネクタを提供する。【解決手段】  ニップル１の外周に中空状のリング爪２０を嵌挿し、前記リング爪２０を覆う袋ナットで構成してある。又、前記リング爪２０には周縁部の基部２０ａを残して円周にスリット２０ｄを形成し、前記基部２０ａに軸の中心に向けて突状の爪体２０ｂが形成してあり、コルゲートチューブ１００を袋ナット１０の入口部から挿入する。【選択図】    図４
2006118567.tif 000002
【特許請求の範囲】
【請求項１】
ニップルの外周に中空状のリング爪を嵌挿し、前記リング爪を袋ナットで覆うコネクタであって、
前記リング爪には周縁部の基部を残して円周にスリットを形成し、前記基部には軸の中心に向けて突状の爪体が形成してあることを特徴とするコルゲートチューブ用のコネクタ。
【請求項２】
爪体の左側には、爪体の先端部に向けて先細の拡開用テーパ部が形成してあることを特徴とする請求項１のコルゲートチューブ用のコネクタ。
【発明の詳細な説明】
【技術分野】
【０００１】
本発明は、コルゲートチューブを結合するコネクタに関する。
【背景技術】
【０００２】
従来のコネクタの一例として、特開平９−１５２０８０号公報があり、この公報のコネクタは、図６に示すように、中空入口体２ａと中空出口体２ｂとの接合部でコルゲートチューブ２０の端部が当接可能に形成のハウジング体２Ａと、そのハウジング体２Ａの中空入口体に装着の中空状のセットリング体１０Ａとで構成してある。
【０００３】
そして、ハウジングの中空入口体２ａの筒状部の周状に開口窓３を形成し、セットリング体１０Ａにはフランジ体１１から軸方向で且つ開口窓３から突出可能な突出部１５ａを有するロック爪１５を形成し、そのロック爪１５にコルゲートチューブの係止溝２０ａに係止可能な係止爪１５ｂを形成してある。そして、そのロック爪１５の内側にコルゲートチューブの係止溝２０ａに係止可能な係止爪１５ｂと、そのロック爪の上部側の左右両側にハウジング体の開口窓に当接可能な左凸当接体１５ｅと右凸当接体１５ｆを形成し、且つ、フランジ体１１とロック爪１５を継ぐストレート部１５ｘの凹溝状の曲折部１５ｃを形成すると共に、その曲折部１５ｃから右凸当接体１５ｆにかけて凹部１５ｇを形成してある。
【０００４】
【特許文献１】特開平９−１５２０８０号公報
【発明の開示】
【発明が解決しようとする課題】
【０００５】
前記のように、従来のコルゲートチューブのコネクタは、チューブを容易に装着抜できると共に、円滑に抜くことができるものであるが、本発明も異なる構成で、簡便に、所謂、ワンタッチでチューブを装着可能なコルゲートチューブ用のコネクタを提供するものである。
【課題を解決するための手段】
【０００６】
請求項１のコルゲートチューブ用のコネクタは、ニップル１の外周に中空状のリング爪２０を嵌挿し、前記リング爪２０を覆う袋ナット１０で構成してある。
又、前記リング爪２０には周縁部の基部２０ａを残して円周にスリット２０ｄを形成し、前記基部２０ａに軸の中心に向けて突状の爪体２０ｂが形成してある。
そこで、コルゲートチューブ１００を袋ナット１０の入口部から挿入すると、コルゲートチューブ１００の外周に形成の凹凸部に応じて爪体２０ｂが拡開して容易に挿入可能であると共に、コルゲートチューブ１００は爪体２０ｂがコルゲートチューブ１００の外周に形成の凹部１００ａに食い込んで抜け防止を果たす。
又、請求項２のコルゲートチューブ用のコネクタは、爪体の左側に、爪体の先端部に向けて先細の拡開用テーパ部が形成してあるので、爪体が容易に拡開ができる。
【発明の効果】
【０００７】
本発明の請求項１のコネクタは、所謂、ワンタッチで、コルゲートチューブの装着ができる。又、請求項２のコネクタは容易に爪体の拡開ができる。
【発明を実施するための最良の形態】
【０００８】
本発明のコルゲートチューブのコネクタを図面を参照して説明する。尚、このコルゲートチューブは主としてケーブルを保護する合成樹脂製（ナイロン製等）の電線管であり、外周には凹部１００ａと凸部１００ｂが形成してあり、本発明のコルゲートチューブ用のコネクタは、コルゲートチューブを挿入するだけで取付けが完了するものである。
図１はコネクタの構成部品図であり、図２は構成部品を組み立てたコネクタの断面図、図３はリング爪２０の左側面図、正面図、右側面図である。
【０００９】
金属等で製作の中空状のニップル１のほぼ中央には、スパナ用の回動頭部１ａが形成してあり、その回動頭部１ａの左側には、機器取付け用の機器ネジ１ｂが形成してある。又、この機器ネジ１ｂには、ロックナット５が螺合する。
一方、前記回動頭部１ａの右側外周には、金属や硬質樹脂等で形成の袋ナット１０と螺合するナットネジ１ｃが形成してあり、更に、その右側には、後述するリング爪２０を嵌挿する平坦部１ｄが外周に形成してある。
【００１０】
又、回動頭部１ａの右側内周には、コルゲートチューブ１００を挿入可能な筒体１ｅが形成してあると共に、そこに延設して、コルゲートチューブの端部と当接する軸方向に口径が小さくなるテーパ状のテーパ部１ｆが形成してある。
尚、ニップル１の左側における機器の取付けのために、外周にＯリング用の溝１ｈが形成してあり、Ｏリング３を装着後に、前記機器取付け用の機器ネジ１ｂに螺合するロックナット５で機器（図示略）と接続する。また、このコネクタは、機器と接続するために機器ネジ１ｂを介して接続する形式の他、バンド等を介して結合すればよく、機器の種類に適宜対応させる。
【００１１】
前記袋ナット１０は、金属や硬質樹脂等で中空状に形成してあり、その内面には、前記ニップル１に形成のナットネジ１ｃに螺合する内ネジ１０ａが形成してある。
又、その右端部にはリング爪２０の口径を縮小するために、中心（軸）に向けて半径が狭小となるテーパ状の縮小部１０ｂが形成してあると共に、コルゲートチューブ１００の外径より僅かに大きな直径の入口部１０ｃが形成してある。
【００１２】
次に、リング爪２０について、図３を参照して説明すると、図３（Ａ）は左側面図、図３（Ｂ）は正面図と正面断面図、図３（Ｃ）は右側面図である。
このリング爪２０は、中空状の硬質合成樹脂等で製作してあり、周縁部の基部２０ａを残して、円周には軸方向に６個のスリット２０ｄが形成してある。又、前記基部２０ａには、軸の中心に向けて、６個の突状の爪体２０ｂが形成してある。又、この爪体２０ｂの左側には、爪体２０ｂの先端部に向けて先細の拡開用テーパ部２０ｃが形成してあり、容易に曲折可能になっている。即ち、これらの爪体２０ｂは、前記スリット２０ｄと拡開用テーパ部２０ｃの形成により、中心軸に対し口径の拡開と縮小が可能である。
一方、爪体２０ｂの右部は、コルゲートチューブ１００の凸部１００ｂに密着する構造になっている。
【００１３】
次に、前記構成のコネクタを使用してコルゲートチューブを装着する過程について図４（Ａ〜Ｃ）及び図５（Ａ〜Ｃ）を参照して説明する。
先ず、ニップル１の右側に形成の平坦部１ｄにリング爪２０を嵌挿し、袋ナット１０をナットネジ１ｃに螺合して取り付けて前記リング爪２０を覆い、このコネクタを制御板１１０にロックナット５で取り付ける。
そして、コルゲートチューブ１００を袋ナット１０の入口部１０ｃから挿入すると、先ず、リング爪２０の爪体２０ｂの手前までは、爪体２０ｂに当接することなく円滑に挿入される（図４（Ａ）、図５（Ａ））。
【００１４】
次に、更に、コルゲートチューブ１００の先端部で、リング爪２０を左方向に押すと、リング爪２０は左方向に移動すると共に、リング爪２０に形成の拡開用テーパ部２０ｃは、ニップル１の平坦部１ｄの外周部に乗り上げる。即ち、リング爪２０の爪体２０ｂは、拡開状態になり、コルゲートチューブ１００は容易にコネクタの奥に挿入できる（図４（Ｂ）、図５（Ｂ））。
以下、順次、爪体２０ｂはコルゲートチューブの外周に形成の凸部１００ｂにおいて拡開しながら、コルゲートチューブ１００の先端部がテーパ部１ｆに当接するまで挿入される。そして、リング爪２０は、コルゲートチューブ１００の凹部１００ａに挿入されると共に、リング爪２０の右部は、コルゲートチューブ１００の凸部１００ｂに密着して、漏洩防止を図ることができる（図４（Ｃ）、図５（Ｃ））。
【００１５】
尚、前記コルゲートチューブを装着した後に、コルゲートチューブ１００に引張荷重がかかった場合、リング爪２０の爪体２０ｂがコルゲートチューブ１００の凹部１００ａに挿入されているので、リング爪２０も引張り方向へ移動しようとする。
しかし、リング爪２０の口径は袋ナットの内側に形成のテーパ状の縮小部１０ｂによって縮小され、ますます、コルゲートチューブに密着して抜けることがない。
【００１６】
又、前記コネクタに装着のコルゲートチューブを外すときには、袋ナットを緩めて外す。尚、ニップル１と袋ナット１０のネジの嵌合は緩み防止の構造になっているが、工具を使用することによって袋ナットを緩めることができる。
以上のように、本願のコネクタは、コルゲートチューブをワンタッチで装着できるし、袋ナットを緩めることによって外すことができる。又、本願のコネクタは種々の材質で製作できる。
【図面の簡単な説明】
【００１７】
【図１】コネクタの構成部品図である。
【図２】構成部品を組み立てたコネクタの断面図である。
【図３】（Ａ）はリング爪の左側面図、（Ｂ）はリング爪の正面図、（Ｃ）はリング爪の右側面図である。
【図４】（Ａ）〜（Ｃ）はコルゲートチューブを結合する過程を示す断面図である。
【図５】（Ａ）〜（Ｃ）はコルゲートチューブを結合する過程を示す概念図である。
【図６】従来のコネクタによる結合状態の正面断面図である。
【符号の説明】
【００１８】
１  ニップル
１ｄ  平坦部
１ｆ  テーパ部
５  ロックナット
１０  袋ナット
１０ｂ  縮小部
２０  リング爪
２０ｂ  爪体
１００  コルゲートチューブ
１００ａ  凹部
１００ｂ  凸部
【図１】
2006118567.tif 000003
【図２】
2006118567.tif 000004
【図３】
2006118567.tif 000005
【図４】
2006118567.tif 000006
【図５】
2006118567.tif 000007
【図６】
2006118567.tif 000008